(57)【要約】【課題】１つの画面上に風景映像とエアタグとが表示されていてもより明確にユーザーに進行方向を示すことのできる経路案内装置を実現する。【解決手段】携帯端末装置１０には、避難経路の探索を行う避難経路探索手段１４０と、ユーザーが撮影している風景映像を表示する映像表示手段１７０と、避難経路の案内に供される情報としてのエアタグ（拡張現実画像）を風景映像に重ねて表示するエアタグ表示手段１８０と、避難経路の左側または右側の少なくとも一方に風景映像の一部を隠すための画像（マスク画像）を表示する風景映像マスク手段１９０とが設けられる。ここで、映像表示領域においてマスク画像とエアタグとが重なる場合には、マスク画像よりもエアタグの方が前面に配置される。【選択図】図４
2015224981.tif 000002
【特許請求の範囲】
【請求項１】
目的地までの進行経路を案内するための経路案内装置であって、
利用者によって入力される条件に基づいて、目的地までの進行経路の探索を行う経路探索手段と、
所定の映像表示領域に撮影中の映像を表示する映像表示手段と、
前記映像表示領域において、進行経路の案内に供される情報としての拡張現実画像を前記映像表示手段によって表示されている撮影映像に重ねて表示する拡張現実画像表示手段と、
前記映像表示領域において、前記経路探索手段によって得られた進行経路の左側または右側の少なくとも一方に前記撮影映像を部分的に隠すためのマスク画像を表示するマスク画像表示手段と
を備え、
前記マスク画像表示手段は、前記映像表示領域において前記マスク画像と前記拡張現実画像とが重なる場合には、前記拡張現実画像を前記マスク画像よりも前面に配置することを特徴とする、経路案内装置。
【請求項２】
前記マスク画像表示手段は、前記マスク画像として半透明の画像を表示することを特徴とする、請求項１に記載の経路案内装置。
【請求項３】
前記マスク画像表示手段は、前記映像表示領域において、前記経路探索手段によって得られた進行経路の左側および右側の双方に前記マスク画像を表示することを特徴とする、請求項１または２に記載の経路案内装置。
【請求項４】
前記マスク画像表示手段は、前記経路探索手段によって得られた進行経路が前記映像表示領域において曲がっている場合には、当該進行経路が曲がっている方向に配置されるマスク画像については当該進行経路の折れ曲がり地点よりも手前側の撮影映像のみを隠すように、前記マスク画像を表示することを特徴とする、請求項１から３までのいずれか１項に記載の経路案内装置。
【請求項５】
前記マスク画像表示手段は、前記映像表示領域において縦方向の幅が前記経路探索手段によって得られた進行経路の進行方向に向かって徐々に狭くなるような画像を前記マスク画像として表示することを特徴とする、請求項１から４までのいずれか１項に記載の経路案内装置。
【請求項６】
前記マスク画像表示手段は、現在位置と前記経路探索手段によって得られた進行経路とに基づいて透視変換によって得られる画像を前記マスク画像として表示することを特徴とする、請求項５に記載の経路案内装置。
【請求項７】
前記マスク画像の端部のうち前記経路探索手段によって得られた進行経路の進行方向側の端部の形状は、矢印状であることを特徴とする、請求項１から６までのいずれか１項に記載の経路案内装置。
【請求項８】
前記映像表示領域の縦方向の幅をＨとし、前記マスク画像の縦方向の幅の最大値をＷｍａｘとしたとき、下記の式が成立することを特徴とする、請求項１から７までのいずれか１項に記載の経路案内装置。
Ｈ×０．５＜Ｗｍａｘ
【請求項９】
前記映像表示領域の縦方向の幅をＨとし、前記マスク画像の縦方向の幅の最大値をＷｍａｘとしたとき、下記の式が成立することを特徴とする、請求項１から７までのいずれか１項に記載の経路案内装置。
Ｈ×０．２＞Ｗｍａｘ
【請求項１０】
前記拡張現実画像表示手段は、前記拡張現実画像の１つとして、前記経路探索手段によって得られた進行経路を表す矢印状の画像を表示することを特徴とする、請求項１から９までのいずれか１項に記載の経路案内装置。
【請求項１１】
前記マスク画像表示手段は、前記矢印状の画像と前記マスク画像とが重なることのないように、前記マスク画像を前記映像表示領域に表示することを特徴とする、請求項１０に記載の経路案内装置。
【請求項１２】
前記経路探索手段は、道路および避難所の情報を用いて、目的地である避難所と当該避難所までの避難経路の探索を行うことを特徴とする、請求項１から１１までのいずれか１項に記載の経路案内装置。
【請求項１３】
目的地までの進行経路を端末装置を用いて案内する経路案内方法であって、
前記端末装置の利用者によって入力される条件に基づいて、前記端末装置が目的地までの進行経路の探索を行う経路探索ステップと、
前記端末装置の所定の映像表示領域に撮影中の映像を表示する映像表示ステップと、
前記映像表示領域において、進行経路の案内に供される情報としての拡張現実画像を前記映像表示ステップによって表示されている撮影映像に重ねて表示する拡張現実画像表示ステップと、
前記映像表示領域において、前記経路探索ステップで得られた進行経路の左側または右側の少なくとも一方に前記撮影映像を部分的に隠すためのマスク画像を表示するマスク画像表示ステップと
を含み、
前記マスク画像表示ステップでは、前記映像表示領域において前記マスク画像と前記拡張現実画像とが重なる場合には、前記拡張現実画像が前記マスク画像よりも前面に配置されることを特徴とする、経路案内方法。
【請求項１４】
目的地までの進行経路を案内するための、端末装置で実行される経路案内プログラムであって、
前記端末装置の利用者によって入力される条件に基づいて、目的地までの進行経路の探索を行う経路探索ステップと、
前記端末装置の所定の映像表示領域に撮影中の映像を表示する映像表示ステップと、
前記映像表示領域において、進行経路の案内に供される情報としての拡張現実画像を前記映像表示ステップによって表示されている撮影映像に重ねて表示する拡張現実画像表示ステップと、
前記映像表示領域において、前記経路探索ステップで得られた進行経路の左側または右側の少なくとも一方に前記撮影映像を部分的に隠すためのマスク画像を表示するマスク画像表示ステップと
を前記端末装置に含まれるコンピュータのＣＰＵがメモリを利用して実行し、
前記マスク画像表示ステップでは、前記映像表示領域において前記マスク画像と前記拡張現実画像とが重なる場合には、前記拡張現実画像が前記マスク画像よりも前面に配置されることを特徴とする、経路案内プログラム。
【請求項１５】
前記マスク画像表示ステップでは、前記マスク画像として半透明の画像が表示されることを特徴とする、請求項１４に記載の経路案内プログラム。
【請求項１６】
前記マスク画像表示ステップでは、前記映像表示領域において、前記経路探索ステップで得られた進行経路の左側および右側の双方に前記マスク画像が表示されることを特徴とする、請求項１４または１５に記載の経路案内プログラム。
【請求項１７】
前記マスク画像表示ステップでは、前記経路探索ステップで得られた進行経路が前記映像表示領域において曲がっている場合には、当該進行経路が曲がっている方向に配置されるマスク画像については当該進行経路の折れ曲がり地点よりも手前側の撮影映像のみを隠すように、前記マスク画像が表示されることを特徴とする、請求項１４から１６までのいずれか１項に記載の経路案内プログラム。
【請求項１８】
前記マスク画像表示ステップでは、前記映像表示領域において縦方向の幅が前記経路探索ステップで得られた進行経路の進行方向に向かって徐々に狭くなるような画像が前記マスク画像として表示されることを特徴とする、請求項１４から１７までのいずれか１項に記載の経路案内プログラム。
【請求項１９】
前記マスク画像表示ステップでは、現在位置と前記経路探索ステップで得られた進行経路とに基づいて透視変換によって得られる画像が前記マスク画像として表示されることを特徴とする、請求項１８に記載の経路案内プログラム。
【請求項２０】
前記マスク画像の端部のうち前記経路探索ステップで得られた進行経路の進行方向側の端部の形状は、矢印状であることを特徴とする、請求項１４から１９までのいずれか１項に記載の経路案内プログラム。
【請求項２１】
前記映像表示領域の縦方向の幅をＨとし、前記マスク画像の縦方向の幅の最大値をＷｍａｘとしたとき、下記の式が成立することを特徴とする、請求項１４から２０までのいずれか１項に記載の経路案内プログラム。
Ｈ×０．５＜Ｗｍａｘ
【請求項２２】
前記映像表示領域の縦方向の幅をＨとし、前記マスク画像の縦方向の幅の最大値をＷｍａｘとしたとき、下記の式が成立することを特徴とする、請求項１４から２０までのいずれか１項に記載の経路案内プログラム。
Ｈ×０．２＞Ｗｍａｘ
【請求項２３】
前記拡張現実画像表示ステップでは、前記拡張現実画像の１つとして、前記経路探索ステップで得られた進行経路を表す矢印状の画像が表示されることを特徴とする、請求項１４から２２までのいずれか１項に記載の経路案内プログラム。
【請求項２４】
前記マスク画像表示ステップでは、前記矢印状の画像と前記マスク画像とが重なることのないように、前記マスク画像が前記映像表示領域に表示されることを特徴とする、請求項２３に記載の経路案内プログラム。
【請求項２５】
前記経路探索ステップでは、道路および避難所の情報を用いて、目的地である避難所と当該避難所までの避難経路の探索が行われることを特徴とする、請求項１４から２４までのいずれか１項に記載の経路案内プログラム。
【発明の詳細な説明】
【技術分野】
【０００１】
本発明は、端末装置（典型的には携帯電話などの携帯端末装置）のユーザーに目的地（例えば地震などの災害が発生した際の避難所）までの経路の情報を提供する経路案内装置、経路案内方法、および経路案内プログラムに関する。
【背景技術】
【０００２】
携帯電話などの携帯端末装置の高機能化・高解像度化により、近年、地図を利用するアプリケーションソフトウェアが多く開発されている。そのようなアプリケーションソフトウェアの１つとして、携帯端末装置の利用者（以下、「ユーザー」という。）を目的地に案内するための「経路探索アプリ」などと呼ばれるアプリケーションソフトウェアが知られている。経路探索アプリを利用することにより、ユーザーは手元に地図がない場合でも目的地に容易にたどり着くことができる。
【０００３】
ところで、地震などによる広範囲にわたる災害が発生した場合、人々は直ちに近くの避難所に移動して身の安全や必要な物資・情報を確保する必要がある。近年、比較的規模の大きい災害が多く発生していることから、災害発生時に人々を速やかに避難所に誘導することが重要視されている。これに関し、携帯電話などの携帯端末装置が近年広く普及してきたことから、災害発生時に携帯端末装置を用いてユーザーを避難所に誘導することが考えられている。具体的には、携帯端末装置用の経路探索アプリの１つとして、避難所までの経路案内に特化したアプリケーションソフトウェア（以下、「避難誘導アプリ」という。）も提供されている。
【０００４】
ところが、地震などの災害の発生時には、人は、パニック状態になって論理的な判断を行うことが困難となり、地図を正しく読めなくなることがある。また、土地勘のない観光客にとっては、現在位置を基準とした方角がわからないことが多い。特に、外国人旅行者など日本語を読むことのできない者にとっては、方角の判断がより困難となる。以上のようなことから、災害発生によってユーザーがパニック状態になっていても当該ユーザーを避難所まで速やかに誘導することのできる避難誘導アプリの開発が望まれている。
【０００５】
ところで、近年、携帯端末装置に付随するカメラで撮影している映像（以下、便宜上「風景映像」という。）にエアタグと呼ばれる仮想的画像を付加して表示する拡張現実技術（ＡＲ技術）が発達しつつある。そこで、経路探索アプリ等において、現在位置から目的地までの進行経路に関する情報を表すエアタグ（拡張現実画像）を風景映像に付加して表示することが行われている。
【０００６】
また、本件発明に関連して、特表２０１１−５２７７５４号公報には、道路の分岐点の映像である分岐点ビューをディスプレイ上に表示し、ユーザーに進行方向を把握させるためにユーザーが進むべき道路セグメントに関する道路標識を強調表示するナビゲーションシステムの発明が開示されている。
【先行技術文献】
【特許文献】
【０００７】
【特許文献１】特表２０１１−５２７７５４号公報
【発明の概要】
【発明が解決しようとする課題】
【０００８】
上述した拡張現実技術を用いれば、避難誘導アプリにおいて、ユーザーが撮影している風景映像に、避難経路の案内に供される情報（避難所の情報、災害箇所の情報など）としてのエアタグを付加的に表示することができる。しかしながら、１つの画面上に風景映像とエアタグとが混在して表示されると、風景映像中の物体とエアタグとが干渉して視認性の悪い映像となる。例えば、風景映像中の赤色の看板と火災を表す赤色のエアタグとが重なって表示されている場合、両者が干渉することによって、ユーザーにとっては、当該看板近傍の映像が視認性の悪い映像となる。このような視認性の悪い映像が表示されていると、特に災害発生によってユーザーがパニック状態になっている場合には、ユーザーにとっては進行方向を迅速に正しく把握することが困難である。また、特表２０１１−５２７７５４号公報には、風景映像とエアタグとの混在については、何ら記載されていない。
【０００９】
そこで本発明は、１つの画面上に風景映像とエアタグとが表示されていてもより明確にユーザーに進行方向を示すことのできる経路案内装置を実現することを目的とする。
【課題を解決するための手段】
【００１０】
第１の発明は、目的地までの進行経路を案内するための経路案内装置であって、
利用者によって入力される条件に基づいて、目的地までの進行経路の探索を行う経路探索手段と、
所定の映像表示領域に撮影中の映像を表示する映像表示手段と、
前記映像表示領域において、進行経路の案内に供される情報としての拡張現実画像を前記映像表示手段によって表示されている撮影映像に重ねて表示する拡張現実画像表示手段と、
前記映像表示領域において、前記経路探索手段によって得られた進行経路の左側または右側の少なくとも一方に前記撮影映像を部分的に隠すためのマスク画像を表示するマスク画像表示手段と
を備え、
前記マスク画像表示手段は、前記映像表示領域において前記マスク画像と前記拡張現実画像とが重なる場合には、前記拡張現実画像を前記マスク画像よりも前面に配置することを特徴とする。
【００１１】
第２の発明は、第１の発明において、
前記マスク画像表示手段は、前記マスク画像として半透明の画像を表示することを特徴とする。
【００１２】
第３の発明は、第１または第２の発明において、
前記マスク画像表示手段は、前記映像表示領域において、前記経路探索手段によって得られた進行経路の左側および右側の双方に前記マスク画像を表示することを特徴とする。
【００１３】
第４の発明は、第１から第３までのいずれかの発明において、
前記マスク画像表示手段は、前記経路探索手段によって得られた進行経路が前記映像表示領域において曲がっている場合には、当該進行経路が曲がっている方向に配置されるマスク画像については当該進行経路の折れ曲がり地点よりも手前側の撮影映像のみを隠すように、前記マスク画像を表示することを特徴とする。
【００１４】
第５の発明は、第１から第４までのいずれかの発明において、
前記マスク画像表示手段は、前記映像表示領域において縦方向の幅が前記経路探索手段によって得られた進行経路の進行方向に向かって徐々に狭くなるような画像を前記マスク画像として表示することを特徴とする。
【００１５】
第６の発明は、第５の発明において、
前記マスク画像表示手段は、現在位置と前記経路探索手段によって得られた進行経路とに基づいて透視変換によって得られる画像を前記マスク画像として表示することを特徴とする。
【００１６】
第７の発明は、第１から第６までのいずれかの発明において、
前記マスク画像の端部のうち前記経路探索手段によって得られた進行経路の進行方向側の端部の形状は、矢印状であることを特徴とする。
【００１７】
第８の発明は、第１から第７までのいずれかの発明において、
前記映像表示領域の縦方向の幅をＨとし、前記マスク画像の縦方向の幅の最大値をＷｍａｘとしたとき、下記の式が成立することを特徴とする。
Ｈ×０．５＜Ｗｍａｘ
【００１８】
第９の発明は、第１から第７までのいずれかの発明において、
前記映像表示領域の縦方向の幅をＨとし、前記マスク画像の縦方向の幅の最大値をＷｍａｘとしたとき、下記の式が成立することを特徴とする。
Ｈ×０．２＞Ｗｍａｘ
【００１９】
第１０の発明は、第１から第９までのいずれかの発明において、
前記拡張現実画像表示手段は、前記拡張現実画像の１つとして、前記経路探索手段によって得られた進行経路を表す矢印状の画像を表示することを特徴とする。
【００２０】
第１１の発明は、第１０の発明において、
前記マスク画像表示手段は、前記矢印状の画像と前記マスク画像とが重なることのないように、前記マスク画像を前記映像表示領域に表示することを特徴とする。
【００２１】
第１２の発明は、第１から第１１までのいずれかの発明において、
前記経路探索手段は、道路および避難所の情報を用いて、目的地である避難所と当該避難所までの避難経路の探索を行うことを特徴とする。
【００２２】
第１３の発明は、目的地までの進行経路を端末装置を用いて案内する経路案内方法であって、
前記端末装置の利用者によって入力される条件に基づいて、前記端末装置が目的地までの進行経路の探索を行う経路探索ステップと、
前記端末装置の所定の映像表示領域に撮影中の映像を表示する映像表示ステップと、
前記映像表示領域において、進行経路の案内に供される情報としての拡張現実画像を前記映像表示ステップによって表示されている撮影映像に重ねて表示する拡張現実画像表示ステップと、
前記映像表示領域において、前記経路探索ステップで得られた進行経路の左側または右側の少なくとも一方に前記撮影映像を部分的に隠すためのマスク画像を表示するマスク画像表示ステップと
を含み、
前記マスク画像表示ステップでは、前記映像表示領域において前記マスク画像と前記拡張現実画像とが重なる場合には、前記拡張現実画像が前記マスク画像よりも前面に配置されることを特徴とする。
【００２３】
第１４の発明は、目的地までの進行経路を案内するための、端末装置で実行される経路案内プログラムであって、
前記端末装置の利用者によって入力される条件に基づいて、目的地までの進行経路の探索を行う経路探索ステップと、
前記端末装置の所定の映像表示領域に撮影中の映像を表示する映像表示ステップと、
前記映像表示領域において、進行経路の案内に供される情報としての拡張現実画像を前記映像表示ステップによって表示されている撮影映像に重ねて表示する拡張現実画像表示ステップと、
前記映像表示領域において、前記経路探索ステップで得られた進行経路の左側または右側の少なくとも一方に前記撮影映像を部分的に隠すためのマスク画像を表示するマスク画像表示ステップと
を前記端末装置に含まれるコンピュータのＣＰＵがメモリを利用して実行し、
前記マスク画像表示ステップでは、前記映像表示領域において前記マスク画像と前記拡張現実画像とが重なる場合には、前記拡張現実画像が前記マスク画像よりも前面に配置されることを特徴とする。
【００２４】
第１５の発明は、第１４の発明において、
前記マスク画像表示ステップでは、前記マスク画像として半透明の画像が表示されることを特徴とする。
【００２５】
第１６の発明は、第１４または第１５の発明において、
前記マスク画像表示ステップでは、前記映像表示領域において、前記経路探索ステップで得られた進行経路の左側および右側の双方に前記マスク画像が表示されることを特徴とする。
【００２６】
第１７の発明は、第１４から第１６までのいずれかの発明において、
前記マスク画像表示ステップでは、前記経路探索ステップで得られた進行経路が前記映像表示領域において曲がっている場合には、当該進行経路が曲がっている方向に配置されるマスク画像については当該進行経路の折れ曲がり地点よりも手前側の撮影映像のみを隠すように、前記マスク画像が表示されることを特徴とする。
【００２７】
第１８の発明は、第１４から第１７までのいずれかの発明において、
前記マスク画像表示ステップでは、前記映像表示領域において縦方向の幅が前記経路探索ステップで得られた進行経路の進行方向に向かって徐々に狭くなるような画像が前記マスク画像として表示されることを特徴とする。
【００２８】
第１９の発明は、第１８の発明において、
前記マスク画像表示ステップでは、現在位置と前記経路探索ステップで得られた進行経路とに基づいて透視変換によって得られる画像が前記マスク画像として表示されることを特徴とする。
【００２９】
第２０の発明は、第１４から第１９までのいずれかの発明において、
前記マスク画像の端部のうち前記経路探索ステップで得られた進行経路の進行方向側の端部の形状は、矢印状であることを特徴とする。
【００３０】
第２１の発明は、第１４から第２０までのいずれかの発明において、
前記映像表示領域の縦方向の幅をＨとし、前記マスク画像の縦方向の幅の最大値をＷｍａｘとしたとき、下記の式が成立することを特徴とする。
Ｈ×０．５＜Ｗｍａｘ
【００３１】
第２２の発明は、第１４から第２０までのいずれかの発明において、
前記映像表示領域の縦方向の幅をＨとし、前記マスク画像の縦方向の幅の最大値をＷｍａｘとしたとき、下記の式が成立することを特徴とする。
Ｈ×０．２＞Ｗｍａｘ
【００３２】
第２３の発明は、第１４から第２２までのいずれかの発明において、
前記拡張現実画像表示ステップでは、前記拡張現実画像の１つとして、前記経路探索ステップで得られた進行経路を表す矢印状の画像が表示されることを特徴とする。
【００３３】
第２４の発明は、第２３の発明において、
前記マスク画像表示ステップでは、前記矢印状の画像と前記マスク画像とが重なることのないように、前記マスク画像が前記映像表示領域に表示されることを特徴とする。
【００３４】
第２５の発明は、第１４から第２４までのいずれかの発明において、
前記経路探索ステップでは、道路および避難所の情報を用いて、目的地である避難所と当該避難所までの避難経路の探索が行われることを特徴とする。
【発明の効果】
【００３５】
上記第１の発明によれば、経路案内装置には、撮影映像を部分的に隠すためのマスク画像を映像表示領域において進行経路に沿って表示するマスク画像表示手段が設けられる。ここで、映像表示領域においてマスク画像と拡張現実画像（エアタグ）とが重なる場合には、マスク画像よりも拡張現実画像の方が前面に配置される。これにより、映像表示領域内に撮影映像と拡張現実画像とが混在していても、撮影映像がマスク画像によって隠されるとともに、マスク画像の前面に拡張現実画像が表示される。このようにして、進行経路をたどるのに不必要な情報はマスク画像によって隠され、進行経路をたどるのに必要な情報がユーザーに明瞭に視認される。従って、例えば災害発生によってユーザーがパニック状態になっていても、当該ユーザーを速やかに目的地に誘導することが可能となる。以上のように、１つの画面上に撮影映像と拡張現実画像とが表示されていてもより明確にユーザーに進行方向を示すことのできる経路案内装置が実現される。
【００３６】
上記第２の発明によれば、ユーザーは、撮影映像を参考にしつつ進行経路をたどることができる。
【００３７】
上記第３の発明によれば、進行経路の両側（左側および右側の双方）にマスク画像が表示される。このため、ユーザーに、より明確に進行方向を示すことが可能となる。
【００３８】
上記第４の発明によれば、進行経路が曲がっている場合、その曲がっている方向に配置されるマスク画像の長さは、他方のマスク画像の長さよりも短くされる。これにより、現在位置よりも先の地点で進行経路が曲がっていることをユーザーに認識させることが可能となる。従って、災害発生によってユーザーがパニック状態になっていても、当該ユーザーが進行経路からそれることを防止することが可能となる。
【００３９】
上記第５の発明によれば、現在位置から遠くなるにつれて撮影映像が徐々に小さくなるのと同様、現在位置から遠くなるにつれてマスク画像の幅が徐々に狭くなる。これによりユーザーに違和感を与えることなく、マスク画像によって撮影映像を隠すことが可能となる。
【００４０】
上記第６の発明によれば、上記第５の発明と同様、ユーザーに違和感を与えることなく、マスク画像によって撮影映像を隠すことが可能となる。
【００４１】
上記第７の発明によれば、ユーザーに対して、進行方向の認識をより高めることができる。
【００４２】
上記第８の発明によれば、マスク画像の幅は、比較的太い幅となる。これにより、進行経路をたどるのに不必要な情報をより効果的に隠すことが可能となる。その結果、進行経路をたどるのに必要な情報がユーザーに明瞭に視認される。
【００４３】
上記第９の発明によれば、マスク画像の幅は、比較的狭い幅となる。これにより、ユーザーに対して、進行方向の認識をより高めることができる。
【００４４】
上記第１０の発明によれば、映像表示領域において、経路探索手段による経路探索によって得られた進行経路を示す矢印状の拡張現実画像が表示される。これにより、ユーザーに対して、進行方向の認識をより高めることができる。
【００４５】
上記第１１の発明によれば、経路探索手段による経路探索によって得られた進行経路を示す矢印状の拡張現実画像は、マスク画像によるマスク（撮影映像を隠すこと）が施されていない領域に表示される。ユーザーの視線はマスク画像によって隠されていない領域に向けられるので、ユーザーの視線は進行経路を示す矢印状の拡張現実画像に向けられる。このため、例えば災害発生によってユーザーがパニック状態になっていても、ユーザーは目指すべき方向をきわめて短時間で把握することが可能となる。
【００４６】
上記第１２の発明によれば、１つの画面上に撮影映像と拡張現実画像とが表示されていてもより明確にユーザーに避難経路を示すことのできる経路案内装置が実現される。
【００４７】
上記第１３の発明によれば、上記第１の発明と同様の効果を経路案内方法の発明において奏することができる。
【００４８】
上記第１４から上記第２５の発明によれば、それぞれ上記第１から上記第１２の発明と同様の効果を経路案内プログラムの発明において奏することができる。
【図面の簡単な説明】
【００４９】
【図１】本発明の一実施形態に係る避難誘導システムを実現する機器構成を示すブロック図である。
【図２】上記実施形態において、携帯端末装置のハードウェア構成を示すブロック図である。
【図３】上記実施形態において、表示部内の領域についての詳細を示す図である。
【図４】上記実施形態において、携帯端末装置の詳細な機能構成を示すブロック図である。
【図５】上記実施形態において、個人状況入力手段の一画面例を示す図である。
【図６】上記実施形態において、移動可能距離入力手段の一画面例を示す図である。
【図７】上記実施形態において、周辺状況入力手段の一画面例を示す図である。
【図８】上記実施形態において、地図表示手段による地図の表示および映像表示手段による風景映像の表示について説明するための図である。
【図９】上記実施形態において、ワイヤーフレームについて説明するための図である。
【図１０】上記実施形態において、風景映像にワイヤーフレームが付加された映像の一例を示す図である。
【図１１】上記実施形態において、エアタグ表示手段によるエアタグの表示について説明するための図である。
【図１２】上記実施形態において、マスク画像について説明するための図である。
【図１３】上記実施形態において、マスク画像が付加されていない映像の一例を示す図である。
【図１４】上記実施形態において、マスク画像が付加された映像の一例を示す図である。
【図１５】上記実施形態において、携帯端末装置での処理フローを示すフローチャートである。
【図１６】上記実施形態において、マスク画像の位置について説明するための図である。
【図１７】上記実施形態において、マスク画像の透明度について説明するための図である。
【図１８】上記実施形態において、マスク画像の幅について説明するための図である。
【図１９】上記実施形態において、マスク画像の幅について説明するための図である。
【図２０】上記実施形態において、マスク画像の先端部の形状について説明するための図である。
【図２１】上記実施形態において、避難経路が曲がっている場合のマスク画像の形状について説明するための図である。
【図２２】上記実施形態において、折れ曲がり地点とマスク画像の長さとの関係について説明するための図である。
【図２３】上記実施形態において、マスク画像を表示することによる効果について説明するための図である。
【発明を実施するための形態】
【００５０】
以下、添付図面を参照しつつ本発明の一実施形態について説明する。なお、以下においては、「アプリケーションソフトウェア」のことを「アプリ」と略記している。
【００５１】
＜１．全体構成＞
図１は、本発明の一実施形態に係る避難誘導システムを実現する機器構成を示すブロック図である。この避難誘導システムは、携帯端末装置１０とサーバ２０とによって実現される。携帯端末装置１０とサーバ２０とは、インターネットなどの通信回線を介して接続されている。本実施形態においては、この避難誘導システムを実現するために、避難誘導アプリが携帯端末装置１０にインストールされる。避難誘導アプリは、地震などの災害が発生した際にユーザーに現在位置から避難所までの避難経路を提示するためのソフトウェアである。ユーザーは、所定の操作により避難誘導アプリを起動することができる。このような避難誘導アプリを携帯端末装置１０にインストールしておくことにより、ユーザーは、例えば土地勘のない場所で災害に遭遇しても、避難誘導アプリを使用することによって避難所に容易にたどり着くことが可能となる。
【００５２】
図２は、携帯端末装置１０のハードウェア構成を示すブロック図である。携帯端末装置１０は、ＣＰＵ１１，フラッシュＲＯＭ１２，ＲＡＭ１３，通信制御部１４，映像撮影部（カメラ）１５，ＧＰＳ処理部１６，入力操作部１７，表示部１８，および傾きセンサ１９を有している。ＣＰＵ１１は、この携帯端末装置１０の全体を制御するために各種演算処理等を行う。フラッシュＲＯＭ１２は、書き込み可能な不揮発性のメモリであって、携帯端末装置１０の電源がオフされても保持されるべき各種プログラム・各種データを格納する。ＲＡＭ１３は、書き込み可能な揮発性のメモリであって、実行中のプログラムやデータ等を一時的に格納する。通信制御部１４は、外部へのデータ送信の制御や外部からのデータ受信の制御を行う。映像撮影部（カメラ）１５は、ユーザーによる操作に基づいて、現在位置から見える風景の撮影を行う。ＧＰＳ処理部１６は、ＧＰＳ衛星から受信する電波に基づいて、ユーザーの現在位置を特定するための位置情報（緯度・経度の情報）を取得する。入力操作部１７は、例えばタッチパネルであって、ユーザーによる入力操作を受け付ける。表示部１８は、ＣＰＵ１１からの指令に基づいて、画像の表示を行う。傾きセンサ１９は、この携帯端末装置１０の傾きを示す角度情報を取得する。
【００５３】
避難誘導アプリが実行されているときにユーザーによって映像撮影部１５を用いた撮影が行われると、表示部１８内の領域は、例えば図３に示すように、地図を表示するための領域（以下、「地図表示領域」という。）１８ａと映像撮影部１５による撮影で得られる映像（風景映像）を表示するための領域（以下、「映像表示領域」という。）１８ｂとに分割される。本実施形態においては、図３に示すように、表示部１８の上方に地図表示領域１８ａが配置され、表示部１８の下方に映像表示領域１８ｂが配置される。
【００５４】
携帯端末装置１０内において、避難誘導アプリを実現する避難誘導プログラムは、フラッシュＲＯＭ１２に格納される。ユーザーによって避難誘導アプリの起動が指示されると、フラッシュＲＯＭ１２に格納されている避難誘導プログラムがＲＡＭ１３に読み出され、そのＲＡＭ１３に読み出された避難誘導プログラムをＣＰＵ１１が実行することにより、避難誘導アプリの機能がユーザーに提供される。なお、避難誘導プログラムは、典型的にはインターネットなどの通信回線を介して所定のサーバ（不図示）から携帯端末装置１０にダウンロードされ、当該携帯端末装置１０内のフラッシュＲＯＭ１２にインストールされる。このように避難誘導プログラムが携帯端末装置１０にインストールされることにより、本発明に係る経路案内装置が当該携帯端末装置１０によって実現される。
【００５５】
＜２．機能構成＞
図４は、携帯端末装置１０の詳細な機能構成を示すブロック図である。携帯端末装置１０は、ＧＰＳ情報取得手段１００，観光機能選択手段１１０，ユーザー情報送信手段１２０，データ受信手段１２１，データ記憶手段１３０，避難経路探索手段１４０，個人状況入力手段１４１，移動可能距離入力手段１４２，周辺状況入力手段１４３，地図表示手段１５０，観光情報表示手段１６０，映像表示手段１７０，エアタグ表示手段１８０，および風景映像マスク手段１９０を有している。
【００５６】
なお、本実施形態においては、避難経路探索手段１４０によって経路探索手段が実現され、エアタグ表示手段１８０によって拡張現実画像表示手段が実現され、風景映像マスク手段１９０によってマスク画像表示手段が実現されている。
【００５７】
ＧＰＳ情報取得手段１００は、ＧＰＳ衛星から受信する電波に基づいてユーザーの現在位置を特定するための位置情報（緯度・経度の情報）を取得し、その位置情報を示すＧＰＳデータＧｄａを出力する。なお、ＧＰＳ情報取得手段１００は、ハードウェアとしてのＧＰＳ処理部１６（図２参照）によって実現される。
【００５８】
観光機能選択手段１１０は、ユーザーの所望する観光機能（観光施設の各種情報の提示，観光コースの案内，宿泊施設・飲食店・土産店の紹介など）をユーザーに選択させるための手段である。ユーザーが観光機能を選択すると、観光機能選択手段１１０は、ユーザーによって選択された観光機能を示す機能選択データＦｄａを出力する。このように、本実施形態における避難誘導アプリは、平常時には観光のための情報をユーザーに提供することが可能となっている。但し、本発明はこれに限定されず、観光情報をユーザーに提供するための機能は必ずしも携帯端末装置１０に設けられていなくても良い。
【００５９】
ユーザー情報送信手段１２０は、ＧＰＳデータＧｄａおよび機能選択データＦｄａをユーザーデータＹｄａとしてサーバ２０に送信する。なお、ＧＰＳデータＧｄａは、例えば、ユーザーがこの避難誘導アプリを起動したタイミングおよびユーザーがこの避難誘導アプリを用いて何らかの操作を行ったタイミングで、携帯端末装置１０からサーバ２０へと送信される。また、ユーザーがこの避難誘導アプリを使用している期間中、所定期間毎にＧＰＳデータＧｄａが携帯端末装置１０からサーバ２０に送信されるようにしても良い。
【００６０】
データ受信手段１２１は、サーバ２０から送信されるサーバデータＳｄａを受信する。このサーバデータＳｄａには、避難経路の探索に有用なデータである有意データＭｄａと、避難経路の案内に供される情報としてのエアタグを表示するためのエアタグデータＡｄａと、観光機能選択手段１１０によってユーザーに選択された観光機能に対応するデータである観光データＫｄａとが含まれている。また、有意データＭｄａには、地図データ，道路データ，避難所データなどの基礎データＢｄａの他に、例えば各道路の混雑度を示すデータが含まれている。サーバ２０から送信されたサーバデータＳｄａのうちの有意データＭｄａは、データ記憶手段１３０に格納される。なお、データ記憶手段１３０はハードウェアとしてのフラッシュＲＯＭ１２またはＲＡＭ１３（図２参照）によって実現される。また、避難誘導プログラムが携帯端末装置１０にインストールされる際に有意データＭｄａをデータ記憶手段１３０にダウンロードしておくことによって、災害発生時に通信状態にかかわらず避難経路の探索を実行することが可能となる。
【００６１】
個人状況入力手段１４１は、災害が発生した際のユーザー（被災者）の被災状況や運動能力（避難経路上の障害を回避・克服できる能力）をユーザーに入力させるための手段である。この個人状況入力手段１４１は、表示部１８に例えば図５に示すような画面を表示することによって実現される。図５に示すように、例えば「登れる」，「走れる」，「平坦のみ」，「車いす」，「足の怪我」，「歩けない」，「担架」，「子連れ」，「乳母車」などの状態を示すボタンが表示される。ユーザーは、該当する状態を示すボタンを押すだけで良い。個人状況入力手段１４１によって入力された内容を示す個人状況データＩｄａは、避難経路探索手段１４０によって使用される。
【００６２】
なお、図５に示した画面は一例であって、画面のレイアウトや画面に表示される項目はこれには限定されない。この点については、後述する移動可能距離入力手段１４２（図６参照）および周辺状況入力手段１４３（図７参照）についても同様である。
【００６３】
移動可能距離入力手段１４２は、災害が発生した際のユーザー（被災者）の移動手段や移動可能距離をユーザーに入力させるための手段である。この移動可能距離入力手段１４２は、表示部１８に例えば図６に示すような画面を表示することによって実現される。図６に示すように、例えば「徒歩」，「自転車」，「車」などの移動手段を示すボタンと、移動可能距離の入力が可能な入力ボックスとが表示される。ユーザーは、該当する移動手段を示すボタンを押し、移動可能距離を入力する。移動可能距離入力手段１４２によって入力された内容を示す移動能力データＤｄａは、避難経路探索手段１４０によって使用される。
【００６４】
周辺状況入力手段１４３は、災害が発生した際のユーザー（被災者）の周辺の状況をユーザーに入力させるための手段である。この周辺状況入力手段１４３は、表示部１８に例えば図７に示すような画面を表示することによって実現される。周辺状況入力手段１４３は、図７に示すように、例えば災害状況および混雑状況の入力が可能なように構成されている。災害状況を入力するための領域には、例えば、「火事」，「水害」，「倒壊」，「地割れ」などの災害の種別を表すボタンと、「激しい」，「強い」，「中程度」，「弱い」などの災害の強度を表すボタンと、災害の規模の入力が可能な入力ボックスとが表示される。混雑状況を入力するための領域には、例えば、「危険」，「強い」，「普通」，「少し」などの混雑の程度を表すボタンと、混雑の範囲の入力が可能な入力ボックスとが表示される。ユーザーは、災害の種別，災害の強度，および混雑の程度を選択し、災害の規模および混雑の範囲を入力する。周辺状況入力手段１４３によって入力された内容を示す周辺状況データＰｄａは、避難経路探索手段１４０によって使用される。
【００６５】
避難経路探索手段１４０は、ＧＰＳデータＧｄａと、ユーザーによって入力されたデータ（個人状況データＩｄａ，移動能力データＤｄａ，および周辺状況データＰｄａ）と、サーバ２０から送信されデータ記憶手段１３０に格納されている有意データＭｄａとに基づいて、ユーザーにとっての最適な避難所・避難経路を探索する。観光情報表示手段１６０は、観光データＫｄａを表示部１８に表示する。
【００６６】
地図表示手段１５０は、データ記憶手段１３０に格納されている基礎データＢｄａに基づいて表示部１８内の地図表示領域１８ａに地図を表示する。その際、避難経路探索手段１４０によって既に避難所・避難経路の探索が行われている場合には、探索結果Ｒｅが地図に反映される。これにより、例えば図８に示すように、地図および探索結果Ｒｅとしての避難経路が地図表示領域１８ａに表示される。この地図表示手段１５０には、表示モードとして、ヘディングアップモードとノースアップモードとが用意されている。ヘディングアップモードとは、ユーザーの進行方向が常に画面上において上方向となるように、ユーザーの進行方向に応じて地図を回転させながら表示するモードである。ノースアップモードとは、北方向が画面上において上方向となるように地図を表示するモードである。また、この地図表示手段１５０は、ピンチ操作（複数の指で画面をつまんだり押し広げたりする操作）等によって地図の拡大・縮小・スクロールが可能なように構成されている。なお、地図表示領域１８ａには、後述するエアタグ表示手段１８０によって映像表示領域１８ｂに表示されるエアタグに対応するランドマーク（例えば、避難所を示すランドマーク，火災や水害などの災害箇所を示すランドマーク）も表示される。
【００６７】
映像表示手段１７０は、上述した映像撮影部１５による撮影で得られる風景映像を表示部１８内の映像表示領域１８ｂに表示する。これにより、例えば、図８に示すように、映像表示領域１８ｂに風景映像が表示される。ところで、この避難誘導アプリにおいては、映像表示領域１８ｂに表示されるエアタグと地図表示領域１８ａに表示されている地図上の位置との対応関係の把握を容易にするために、図９に示すような「ワイヤーフレーム」と呼ばれる画像が映像表示領域１８ｂに表示される。図９に示すように、ワイヤーフレームは、進行方向に向かって伸びる縦軸と、進行方向とは垂直方向に伸びる横軸とによって構成される。隣接する２本の縦軸間の距離Ｘおよび隣接する２本の横軸間の距離Ｙは、避難誘導アプリによって定められた一定の距離を表している。
【００６８】
ところで、このワイヤーフレームは、携帯端末装置１０が地表面に対して垂直になっている場合に映像表示領域１８ｂの中心が消失点となるように、遠近法を用いて表示される。従って、携帯端末装置１０が地表面に対して垂直になっていれば、全ての縦軸の一方の端点は、映像表示領域１８ｂの中心に存在する。また、携帯端末装置１０が地表面に対して垂直になっている場合の映像表示領域１８ｂの上下方向についての真ん中のラインが風景映像中の水平線（地平線）であるとみなされる。従って、上記消失点は、風景映像中の水平線（地平線）上に存在する。また、ワイヤーフレームの横軸の間隔については、映像表示領域１８ｂの中心に近づくにつれて狭くなっている。以上のようなワイヤーフレームが風景映像に付加されることにより、図１０に示すような映像が映像表示領域１８ｂに表示される。なお、携帯端末装置１０が上向きになっている場合（映像撮影部１５による撮影方向が水平方向よりも上方向の場合）には、上記消失点は映像表示領域１８ｂの中心よりも下方に位置し、携帯端末装置１０が下向きになっている場合（映像撮影部１５による撮影方向が水平方向よりも下方向の場合）には、上記消失点は映像表示領域１８ｂの中心よりも上方に位置する。
【００６９】
エアタグ表示手段１８０は、データ受信手段１２１によって受信されたエアタグデータＡｄａに基づいて、ユーザーが避難経路をたどって避難する際に当該ユーザーにとって有用となるような情報を表すエアタグ（拡張現実画像）を、ユーザーによって撮影されている風景映像に重ねて表示する。これにより、映像表示領域１８ｂには、例えば、避難所を表すエアタグ，災害（火災，水害など）を表すエアタグ，混雑状況を表すエアタグ，進行経路を表す矢印状のエアタグなどが表示される。例えば図１１に示す映像表示領域１８ｂには、進行経路を表すエアタグ３１，火災を表すエアタグ３２，および水害を表すエアタグ３３が表示されている。
【００７０】
ところで、各エアタグは、当該エアタグに対応する位置と現在位置（ユーザーの位置）とに基づく透視変換の結果を用いて表示される。このため、同じ種類の情報を表すエアタグに着目すると、現在位置に近い位置の情報を表すエアタグほど大きく表示され、現在位置から遠い位置の情報を表すエアタグほど小さく表示される。例えば、現在位置から近い位置で発生している火災を表すエアタグは大きく表示され、現在位置から遠い位置で発生している火災を表すエアタグは小さく表示される。また、上述のようにワイヤーフレームが風景映像に付加されていることから、ユーザーは、映像表示領域１８ｂ内におけるエアタグとワイヤーフレームとの位置関係に基づいて、当該エアタグによって表されている事物（例えば避難所）・事象（例えば火災）の地理上の位置や方角をある程度推測することができる。
【００７１】
また、エアタグ表示手段１８０によってエアタグが表示される際には、傾きセンサ１９によって携帯端末装置１０の傾きが検出され、その傾きに応じて、映像表示領域１８ｂにおけるエアタグの表示位置が決定される。具体的には、携帯端末装置１０が上向きになるほど（映像撮影部１５による撮影方向が上方向になるほど）エアタグは映像表示領域１８ｂ中の下方に表示され、携帯端末装置１０が下向きになるほど（映像撮影部１５による撮影方向が下方向になるほど）エアタグは映像表示領域１８ｂ中の上方に表示される。
【００７２】
風景映像マスク手段１９０は、風景映像の一部を隠すための図１２に示すような画像（以下、「マスク画像」という。）４０を映像表示領域１８ｂに表示する。このマスク画像４０は、典型的には、避難経路の両側（左側および右側）の風景映像の一部を覆い隠すように表示される。例えば、図１３に示すような映像にマスク画像４０が付加されることによって、映像表示領域１８ｂには図１４に示すような映像が表示される。ここで、マスク画像４０によって風景映像が隠されるべき領域のことを「不要領域」と定義すると、不要領域は、現在位置（ユーザーの位置）と避難経路探索手段１４０によって得られた避難経路とに基づく透視変換によって求められる。このように透視変換によって不要領域が求められるので、図１４に示すように、マスク画像４０の上下方向の幅は、映像表示領域１８ｂの中心に近くなるほど狭くなる。また、エアタグが表示される際と同様、風景映像マスク手段１９０によってマスク画像が表示される際には、傾きセンサ１９によって携帯端末装置１０の傾きが検出され、その傾きに応じて、マスク画像４０の表示位置が決定される。具体的には、携帯端末装置１０が上向きになるほど（映像撮影部１５による撮影方向が上方向になるほど）マスク画像４０は映像表示領域１８ｂ中の下方に表示され、携帯端末装置１０が下向きになるほど（映像撮影部１５による撮影方向が下方向になるほど）マスク画像４０は映像表示領域１８ｂ中の上方に表示される。なお、マスク画像４０の表示に関する更に詳しい説明は後述する。
【００７３】
＜３．処理フロー＞
次に、図１５に示すフローチャートを参照しつつ、携帯端末装置１０での処理フローについて説明する。携帯端末装置１０では、まず、避難誘導アプリが起動される（ステップＳ１００）。避難誘導アプリの起動後、ユーザーは、経路探索機能を選択する（ステップＳ１１０）。そして、ＧＰＳ情報取得手段１００によるＧＰＳデータＧｄａの取得および当該ＧＰＳデータＧｄａのサーバ２０への送信が行われる（ステップＳ１２０）。その後、ＧＰＳデータＧｄａに基づくサーバデータＳｄａの受信が行われる（ステップＳ１３０）。すなわち、ステップＳ１３０では、携帯端末装置１０は、有意データＭｄａやエアタグデータＡｄａなどをサーバ２０から受信する。
【００７４】
次に、ユーザーは、個人状況入力手段１４１によって、ユーザーの被災状況や運動能力などの個人状況の入力を行う（ステップＳ１４０）。また、ユーザーは、移動可能距離入力手段１４２によって、移動手段および移動可能距離の入力を行う（ステップＳ１５０）。さらに、ユーザーは、周辺状況入力手段１４３によって、ユーザーの周囲の災害状況や混雑状況などの周辺状況の入力を行う（ステップＳ１６０）。
【００７５】
ユーザーによって個人状況，移動手段・移動可能距離，および周辺状況の入力が行われた後、避難経路探索手段１４０による避難経路探索処理（避難所・避難経路を探索する処理）が実行される（ステップＳ１７０）。
【００７６】
避難経路探索処理の実行後、地図表示手段１５０によって、地図，道路，避難所，および避難経路が表示部１８の地図表示領域１８ａに表示される（ステップＳ１８０）。なお、このときユーザーは映像撮影部１５を用いて風景映像を撮影し、当該風景映像が表示部１８の映像表示領域１８ｂに表示されているものとする。そして、映像表示領域１８ｂに表示されている風景映像に、避難経路の案内に供される情報としてのエアタグが重ねて表示される（ステップＳ１９０）。さらに、映像表示領域１８ｂに、上述したマスク画像４０が付加的に表示される（ステップＳ２００）。
【００７７】
以上のようにして、例えば、ステップＳ１８０の終了時点においては図１０に示すような画像（地図および映像）が表示部１８に表示され、ステップＳ１９０の終了時点においては図１３に示すような画像が表示部１８に表示され、ステップＳ２００の終了時点においては図１４に示すような画像が表示部１８に表示される。但し、ステップＳ１８０からステップＳ２００までの処理時間は極めて短い時間であるので、人の目には図１４に示すような画像が瞬時に知覚される。
【００７８】
なお、本実施形態においては、ステップＳ１７０によって経路探索ステップが実現され、ステップＳ１８０によって映像表示ステップが実現され、ステップＳ１９０によって拡張現実画像表示ステップが実現され、ステップＳ２００によってマスク画像表示ステップが実現されている。
【００７９】
＜４．マスク画像＞
次に、風景映像マスク手段１９０によって映像表示領域１８ｂに表示されるマスク画像４０について詳しく説明する。
【００８０】
＜４．１  マスク画像の位置＞
図１４に示したように、マスク画像４０は、通常、避難経路の両側（左側および右側の双方）に表示される。但し、避難経路の左側または右側の一方の風景映像が映像表示領域１８ｂに表示されないような撮影が行われているときには、映像表示領域１８ｂにおいて風景映像が表示されていない側にはマスク画像４０は表示されない。例えば、避難経路の左側の風景映像が映像表示領域１８ｂに表示されないような撮影が行われているときには、図１６に示すように、マスク画像４０は避難経路の右側のみに表示される。
【００８１】
また、映像表示領域１８ｂにおけるマスク画像４０の位置（上下方向の位置）は、ユーザーの視線に適合するようにされる。通常、ユーザーは携帯端末装置１０が地表面に対してほぼ垂直になるようにして撮影を行うので、映像表示領域１８ｂの中央部（上下方向についての中央部）近傍にマスク画像４０が表示される。
【００８２】
＜４．２  マスク画像の透明度＞
マスク画像４０は、図１７（ａ）に示すように半透明にしても良いし、図１７（ｂ）に示すように不透明にしても良い。但し、風景映像を参考にしつつ避難経路をたどることを可能にするという観点からは、マスク画像４０は半透明にすることが好ましい。
【００８３】
＜４．３  マスク画像の幅＞
マスク画像４０の幅（上下方向の幅）については、図１８（ａ）に示すように比較的狭い幅にしても良いし、図１８（ｂ）に示すように比較的太い幅にしても良い。すなわち、マスク画像４０の幅は特に限定されない。なお、説明の便宜上、図１８においては、風景映像のうちの道路（避難経路）とマスク画像４０のみを示している（図１９，図２０，および図２１も同様）。
【００８４】
マスク画像４０によって風景映像を隠すことを重視する場合には、マスク画像４０の幅を太くすれば良い。このような携帯端末装置１０においては、映像表示領域１８ｂの高さ（縦方向の幅）Ｈとマスク画像４０の縦方向の幅の最大値Ｗｍａｘとの関係が例えば次式（１）を満たすように、マスク画像４０の幅が定められる（図１９参照）。
Ｈ×０．５＜Ｗｍａｘ      ・・・（１）
【００８５】
また、進行方向の認識を高めることを重視する場合には、マスク画像４０の幅を狭くすれば良い。このような携帯端末装置１０においては、映像表示領域１８ｂの高さ（縦方向の幅）Ｈとマスク画像４０の縦方向の幅の最大値Ｗｍａｘとの関係が例えば次式（２）を満たすように、マスク画像４０の幅が定められる（図１９参照）。
Ｈ×０．２＞Ｗｍａｘ      ・・・（２）
【００８６】
なお、通常、映像表示領域１８ｂの上端部近傍および下端部近傍にはマスク画像４０によって隠されることのない領域が設けられる。これにより、ユーザーに与える閉塞感が緩和される。
【００８７】
＜４．４  マスク画像の先端部の形状＞
マスク画像４０の先端部の形状については、図２０（ａ）に示すように点状になっていても良いし、図２０（ｂ）に示すように線状になっていても良いし、図２０（ｃ）に示すように矢印状になっていても良い。図２０（ａ）に示す例の場合、マスク画像４０全体の形状は三角形となる。図２０（ｂ）に示す例の場合、マスク画像４０全体の形状は台形となる。なお、図２０（ｃ）に示すようにマスク画像４０の先端部の形状を矢印状にすることによって、進行方向の認識をより高めることができる。
【００８８】
＜４．５  避難経路が曲がっている場合のマスク画像の形状＞
本実施形態においては、避難経路が曲がっている場合、より詳しくは、ユーザーによって風景映像の撮影が行われている地点の先で例えば左折や右折などがあることによって進行先の経路が風景映像から隠れるように避難経路が曲がっている場合、避難経路が曲がっている方向に配置されるマスク画像４０については避難経路の折れ曲がり地点よりも手前側の風景映像のみを隠すように、映像表示領域１８ｂにマスク画像４０が表示される。これについて、図２１を参照しつつ、説明する。
【００８９】
避難経路が曲がっていない場合、図２１（ａ）に示すように、道路の右側に手前側（映像表示領域１８ｂの枠部分）から消失点にまで伸びるマスク画像４０ａが表示されるともに、道路の左側にも手前側から消失点にまで伸びるマスク画像４０ｂが表示される。これに対して、避難経路が例えば符号Ｐで示す地点で左側に曲がっている場合、図２１（ｂ）に示すように、道路の右側には手前側から消失点にまで伸びるマスク画像４０ａが表示されるが、道路の左側には手前側から折れ曲がり地点Ｐよりも手前の地点までしか伸びていないマスク画像４０ｃが表示される。このように、避難経路が曲がっている場合、その曲がっている方向に配置されるマスク画像４０の長さは通常よりも短くされる。従って、例えば図１４に示した映像においても、道路の左側に表示されているマスク画像４０については、他方のマスク画像４０よりも短くされている。避難経路が曲がっている場合のマスク画像の形状を以上のようにすることによって、避難経路が曲がっていることをより明確にユーザーに認識させることができる。
【００９０】
ところで、図２２（ａ）〜（ｃ）に着目すると、マスク画像４０ｄはマスク画像４０ｅよりも長くなっており、マスク画像４０ｆはマスク画像４０ｅよりも短くなっている。このような場合、図２２（ａ）における現在位置から折れ曲がり地点までの距離は図２２（ｂ）における現在位置から折れ曲がり地点までの距離よりも長く、図２２（ｃ）における現在位置から折れ曲がり地点までの距離は図２２（ｂ）における現在位置から折れ曲がり地点までの距離よりも短い。このように、マスク画像４０の長さに基づいて、現在位置から折れ曲がり地点までの距離の大小を把握することができる。
【００９１】
＜４．６  その他＞
上述したように、マスク画像４０は、半透明であっても良いし、不透明であっても良い。また、マスク画像４０の幅（上下方向の幅）については特に限定されない。さらに、マスク画像４０の先端部の形状についても特に限定されない。これらに関しては、携帯端末装置１０のユーザーが設定できるようにしても良い。例えばマスク画像４０の透明度に関し、携帯端末装置１０への避難誘導アプリのインストール直後は予め決められたデフォルト状態（半透明もしくは不透明）にしておき、必要に応じてユーザーが透明度を切り替えることができるようにしても良い。
【００９２】
＜５．効果＞
本実施形態によれば、携帯端末装置１０には、避難経路の探索を行う避難経路探索手段１４０と、ユーザーが撮影している風景映像を表示する映像表示手段１７０と、避難経路の案内に供される情報としてのエアタグ（拡張現実画像）を風景映像に重ねて表示するエアタグ表示手段１８０と、典型的には避難経路の両側の風景映像を上述したマスク画像４０によって隠す風景映像マスク手段１９０とが設けられる。ここで、映像表示領域１８ｂにおいてマスク画像４０とエアタグとが重なる場合には、マスク画像４０よりもエアタグの方が前面に配置される。これにより、映像表示領域１８ｂ内に風景映像とエアタグとが混在していても、風景映像がマスク画像４０によって隠されるとともに、マスク画像４０の前面にエアタグが表示される。例えば、映像表示領域１８ｂに水害を表すエアタグ３３と当該エアタグ３３と同じ色の看板３９（風景映像内の物体）とが互いに重なりあって表示される場合、マスク画像４０が存在しなければ、図２３（ａ）に示すように看板３９とエアタグ３３とが干渉するため、ユーザーにはエアタグ３３が視認されにくい。この点、本実施形態によれば、風景映像がマスク画像４０によって隠されるので、図２３（ｂ）に示すように上記看板３９はマスク画像４０の背面に配置され、水害を表すエアタグ３３がユーザーに明確に視認される。このように、避難経路をたどるのに不必要な情報はマスク画像４０によって隠され、避難経路をたどるのに必要な情報がユーザーに明瞭に視認される。従って、災害発生によってユーザーがパニック状態になっていても、当該ユーザーを速やかに避難所に誘導することが可能となる。以上のように、本実施形態によれば、携帯端末装置１０の１つの画面上に風景映像とエアタグとが表示されていてもより明確にユーザーに避難経路（進行方向）を示すことのできる避難誘導システムが実現される。
【００９３】
また、本実施形態によれば、道路の両側の風景映像をマスク画像４０によって隠すことによって、ユーザーの視線を避難経路上に集中（誘導）させることが可能となる。特に、マスク画像４０の幅を狭くすることやマスク画像４０の先端部の形状を矢印状にすることによって、ユーザーに対して、進行方向の認識をより高めることができる。
【００９４】
さらに、本実施形態によれば、避難経路が曲がっている場合、その曲がっている方向に配置されるマスク画像４０の長さは、他方のマスク画像４０の長さよりも短くされる。これにより、現在位置よりも先の地点で避難経路が曲がっていることをユーザーに認識させることが可能となる。従って、災害発生によってユーザーがパニック状態になっていても、当該ユーザーが避難経路からそれることを防止することが可能となる。
【００９５】
また、本実施形態によれば、映像表示領域１８ｂにおいて、避難経路探索手段１４０による避難経路探索処理によって得られた避難経路（進行経路）を示す矢印状のエアタグ３１が、避難経路となっている道路の中央部に表示される。ユーザーの視線はマスク画像４０によって隠されていない領域に向けられるところ、この矢印状のエアタグ３１はマスク画像４０によるマスク（風景映像を隠すこと）が施されていない領域に表示される。従って、ユーザーの視線は避難経路を示す矢印状のエアタグ３１に向けられ、ユーザーは、たとえパニック状態になっていても、目指すべき方向をきわめて短時間で把握することが可能となる。
【００９６】
さらに、本実施形態によれば、マスク画像４０によって風景映像が隠されるべき領域（不要領域）は、現在位置（ユーザーの位置）と避難経路探索処理で得られた避難経路とに基づく透視変換によって求められる。このため、現在位置から遠くなるにつれて撮影映像が徐々に小さくなるのと同様、現在位置から遠くなるにつれてマスク画像４０の幅が徐々に狭くなる。これによりユーザーに違和感を与えることなく、マスク画像４０によって撮影映像を隠すことが可能となる。
【００９７】
＜６．変形例など＞
上記実施形態においては、本発明に係る経路案内装置が携帯端末装置１０によって実現される例を示したが、本発明はこれに限定されない。例えば、ヘッドマウントディスプレイ（頭部装着型表示装置）のように携帯端末装置１０以外の端末装置によって本発明に係る経路案内装置を実現することもできる。
【００９８】
また、上記実施形態においては、避難誘導システムを例に挙げて説明したが、本発明はこれに限定されない。ユーザーに現在位置から目的地までの進行経路を案内するための一般的なナビゲーションシステムにも、本発明を適用することができる。
【符号の説明】
【００９９】
１０…携帯端末装置
１８…表示部
１８ａ…地図表示領域
１８ｂ…映像表示領域
２０…サーバ
４０…マスク画像
１３０…データ記憶手段
１４０…避難経路探索手段
１５０…地図表示手段
１７０…映像表示手段
１８０…エアタグ表示手段
１９０…風景映像マスク手段
【図１】
2015224981.tif 000003
【図２】
2015224981.tif 000004
【図３】
2015224981.tif 000005
【図４】
2015224981.tif 000006
【図５】
2015224981.tif 000007
【図６】
2015224981.tif 000008
【図７】
2015224981.tif 000009
【図８】
2015224981.tif 000010
【図９】
2015224981.tif 000011
【図１０】
2015224981.tif 000012
【図１１】
2015224981.tif 000013
【図１２】
2015224981.tif 000014
【図１３】
2015224981.tif 000015
【図１４】
2015224981.tif 000016
【図１５】
2015224981.tif 000017
【図１６】
2015224981.tif 000018
【図１７】
2015224981.tif 000019
【図１８】
2015224981.tif 000020
【図１９】
2015224981.tif 000021
【図２０】
2015224981.tif 000022
【図２１】
2015224981.tif 000023
【図２２】
2015224981.tif 000024
【図２３】
2015224981.tif 000025